(57)【要約】【課題】雨水流出抑制施設１において、雨水と共に流入する砂やゴミ等の固形物が貯水槽３内に堆積するのを確実に防止できるようにする。【解決手段】凸部からなる列３２が一定の間隔を保持して多列に平行に形成されている樹脂成形品である貯水空間形成部材３１の複数枚が交互に直角に交差した姿勢で積層されてなる貯水槽３と、貯水槽３に接続する流入桝２とを備えた雨水流出抑制施設１において、貯水槽３における少なくとも最下位に位置する貯水空間形成部材３１Ａの前記凸部と凸部の間の空間３３に、貯水槽３の一方側から他方側に達する長さの樋部材６を挿通し、流入桝２と貯水槽３とを樋部材６を介して接続する。【選択図】図１
2010229803.tif 000002
【特許請求の範囲】
【請求項１】
凸部からなる列が一定の間隔を保持して多列に平行に形成されている樹脂成形品である貯水空間形成部材の複数枚が交互に直角に交差した姿勢で積層されてなる貯水槽と、前記貯水槽に接続する流入桝とを少なくとも備えた雨水流出抑制施設であって、
前記貯水槽における少なくとも最下位に位置する貯水空間形成部材の前記凸部と凸部の間の空間の少なくとも１つには前記貯水空間形成部材の一方側から他方側に達する長さの樋部材が挿通されており、前記流入桝と前記貯水槽とは前記樋部材を介して接続していることを特徴とする雨水流出抑制施設。
【請求項２】
前記樋部材の先端は前記流入桝の内部にまで延出していることを特徴とする請求項１に記載の雨水流出抑制施設。
【請求項３】
前記貯水槽に接続する流出桝をさらに備えており、前記流出桝と前記貯水槽とは前記樋部材を介して接続していることを特徴とする請求項１に記載の雨水流出抑制施設。
【請求項４】
前記樋部材の先端は前記流入桝および前記流出桝のいずれか一方または双方の内部にまで延出していることを特徴とする請求項３に記載の雨水流出抑制施設。
【請求項５】
前記流入桝の前記樋部材との接続部にはフィルターが取り付けられていることを特徴とする請求項１または３に記載の雨水流出抑制施設。
【発明の詳細な説明】
【技術分野】
【０００１】
本発明は、地中に埋設される雨水流出抑制施設に関する。
【背景技術】
【０００２】
近年、中小河川の排水能力を上回る規模の降雨が短期間に集中して生じたときに、河川からの溢水によって災害が生じるのを防止する目的で、地中に貯水槽を備えた雨水流出抑制施設を設けることが都市部などで行われている。貯水槽はコンクリート構造物の場合もあるが、特許文献１に記載のように、凸部からなる列が一定の間隔を置いて多列に平行に形成されている樹脂成形品である貯水空間形成部材の複数枚を交互に直角に交差した姿勢で積層して形成された貯水槽が用いられることも多い。
【０００３】
このような貯水空間形成部材を用いた貯水槽において、雨水とともに砂やゴミ等の固形物が貯水槽内に流れ込むのを防止するために、通常、雨水の流入経路に沈砂槽が設けられるが、一時的に大量の雨水が浸入するようなときに、貯水槽内に砂やゴミ等の固形物が流入するのを完全に防止することはできない。長い間に入り込んだ固形物は堆積物として貯水槽内に沈殿してしまうので、堆積物を貯水槽から除去することが雨水流出抑制施設にとって一つの課題となっている。特に、特許文献１や特許文献２に記載されるような、貯水空間形成部材の複数枚を交互に直角に交差した姿勢で積層して形成される貯水槽の場合、貯水槽内に作業者が入り込むことはできず、バキューム管のような清掃手段を入れ込むことも容易でないので、堆積した堆積物を除去することは大きな課題となっている。
【０００４】
そのような観点から、特許文献３には、貯水槽を備えた雨水流出抑制施設において、貯水槽の底部に、雨水を流下させるための凹溝部を樹脂材料またはコンクリートで別途形成し、流入桝の底部近傍に形成した流入口から該凹溝部に雨水を流すことで雨水と共に砂やゴミ等を流し出すようにし、また降雨量が増大した場合には、流入桝の上位位置に設けた流入口から貯水槽へ雨水を流入させるようにした雨水流出抑制施設が記載されている。
【先行技術文献】
【特許文献】
【０００５】
【特許文献１】特開２００９−２４４４７号公報
【特許文献２】特開２００８−８０７５号公報
【特許文献３】特開２００７−１６５８２号公報
【発明の概要】
【発明が解決しようとする課題】
【０００６】
特許文献２に記載の雨水流出抑制施設は多くの利点を有している。しかし、貯水槽の底部に、雨水を流下させるための凹溝部を別途形成する必要であり、その分だけ掘削深さが深くなる。また、また降雨量が増大した場合には、流入桝の上位位置に設けた流入口から貯水槽へ雨水を流入させるようにしており、貯水槽内に雨水と共に砂やゴミ等の固形物が流入して、そこに堆積してしまうのを避けられない。
【０００７】
本発明は、そのような不都合を解決することを課題としており、より具体的には、雨水流出抑制施設において、従来の貯水槽を作るときと同じ掘削深さで施工することが可能でありながら、雨水と共に流入する砂やゴミ等の固形物が貯水槽内に堆積してしまうのを確実に抑制することのできる、より改良された雨水流出抑制施設を提供することを課題とする。
【課題を解決するための手段】
【０００８】
本発明による雨水流出抑制施設は、凸部からなる列が一定の間隔を保持して多列に平行に形成されている樹脂成形品である貯水空間形成部材の複数枚が交互に直角に交差した姿勢で積層されてなる貯水槽と、前記貯水槽に接続する流入桝とを少なくとも備えた雨水流出抑制施設であって、前記貯水槽における少なくとも最下位に位置する貯水空間形成部材の前記凸部と凸部の間の空間の少なくとも１つには前記貯水空間形成部材の一方側から他方側に達する長さの樋部材が挿通されており、前記流入桝と前記貯水槽とは前記樋部材を介して接続していることを特徴とする。
【０００９】
上記の雨水流出抑制施設では、施工に際して、従来から使用されている、樹脂成形品である貯水空間形成部材の複数枚が交互に直角に交差した姿勢で積層されてなる貯水槽をそのまま用いることができ、また、施工するときの地中掘削深さも、従来と同じであってよい。従って、施工コストが大きく高騰することはない。
【００１０】
本発明による雨水流出抑制施設において、流入桝に流入した雨水は、沈砂桝として機能する流入桝の底部で砂やゴミ等の固形物の多くを排除した後、流入桝から前記樋部材内に流入する。流入した雨水は、樋部材内を流れて前記貯水空間形成部材の一方側から他方側まで流下し、貯水槽から排出される。樋部材に流入する雨水に固形物が混入しているときでも、その固形物は流れる過程で樋部材の底部に堆積するか、雨水の流れとともに貯水槽外に排出される。
【００１１】
樋部材から排出することのできる量以上の雨水が樋部材に流入したときに、貯水槽内の水位は次第に上昇し、貯水槽内に一時的に貯水される。しかし、貯水される水は流入桝の底部の沈砂桝部と樋部材内に固形物を落とした後の上水であり、貯水槽内に固形物が入り込むことはほとんどなく、貯水槽内、より具体的には、貯水空間形成部材内に固形物が堆積するのを回避することができる。
【００１２】
長期間の使用により、流入桝の底部の沈砂桝部および前記樋部材内に固形物が堆積することが起こり得る。その場合には、流入桝からバキューム管を挿入して流入桝の底部の沈砂桝部および前記樋部材内を吸引するか、樋部材内に給水管を挿入して高圧水を流すことにより、堆積物を容易に排除することができる。また、給水管の先端に逆噴射ノズルを取り付けて高圧水洗浄を行う場合でも、逆噴射ノズルが樋部材内を滑るように進むことができるので、貯水空間形成部材を破損させることもない。
【００１３】
本発明による雨水流出抑制施設は、さらに流出桝を備えることができる。その際に、前記流出桝は前記樋部材を介して前記貯水槽に接続される。また、流出桝にはオリフィスを備えた雨水流出管が備えられる。さらに、前記流入桝の前記樋部材との接続部にフィルターを取り付けるようにしてもよく、それにより、樋部材に固形物が入り込むのを効果的に阻止することができる。
【００１４】
本発明による雨水流出抑制施設の一態様において、前記した樋部材は、その先端を前記流入桝および前記流出桝のいずれか一方または双方の内部にまで延出させている。この態様では、前記樋部材内に固形物が堆積したような場合の固形物の除去および洗浄作業を行うときに、樋部材が内部にまで延出している流入桝または流出桝の中に作業者が入り込むことなく、その入り口部から給水管の先端取り付けた逆噴射ノズルを落とし込んで樋部材の前記延出部に逆噴射ノズルが乗った姿勢とし、その状態で高圧水噴射を行うことで、逆噴射ノズルが樋部材内を滑るように進入して，所期の固形物の除去および洗浄作業を行うことができる。すなわち、この態様の雨水流出抑制施設では、清掃時等に、作業者が桝内に入り込むことを要しないので、流入桝および／または流出桝の内径寸法を小さなものとすることができ、施工コストの低減が図られる。また、同じ敷地面積の場合、小さくした分だけ貯水槽の容積を大きくすることができる。
【発明の効果】
【００１５】
本発明によれば、凸部からなる列が一定の間隔を保持して多列に平行に形成されている樹脂成形品である貯水空間形成部材の複数枚が交互に直角に交差した姿勢で積層されてなる貯水槽と、前記貯水槽に接続する流入桝とを少なくとも備えた雨水流出抑制施設において、雨水に含まれる砂やゴミ等の固形物が前記貯水槽内に堆積するのを効果的に回避することができる。
【図面の簡単な説明】
【００１６】
【図１】本発明による雨水流出抑制施設の一実施の形態を側面から見て示す図。
【図２】図１に示す雨水流出抑制施設での貯水槽を図１のＡ−Ａ方向からみて示す図。
【図３】図１に示す雨水流出抑制施設での流入桝の要部を説明するための図。
【図４】本発明による雨水流出抑制施設の他の実施の形態を側面から見て示す図。
【図５】本発明による雨水流出抑制施設のさらに他の実施の形態を示す図２に相当する図。
【図６】図４に示す雨水流出抑制施設で使用される流入桝の要部を説明するための図。
【図７】図１に示す雨水流出抑制施設の他の形態を説明する図。
【図８】雨水流出抑制施設の清掃状態の一例を説明する参考図。
【図９】図４に示す雨水流出抑制施設の他の形態を説明する図。
【図１０】貯水槽を形成する貯水空間形成部材の一例を説明する図。
【発明を実施するための最良の形態】
【００１７】
以下、図面を参照しながら、本発明による雨水流出抑制施設を実施の形態に基づき説明する。
図１に示す雨水流出抑制施設１において、雨水流出抑制施設１は、流入桝２と貯水槽３を備える。貯水槽３は、凸部からなる列が一定の間隔を保持して多列に平行に形成されている樹脂成形品である貯水空間形成部材の複数枚が交互に直角に交差した姿勢で積層されて形成されており、それ自体は公知のものであってよい。
【００１８】
図１０は、貯水槽３を構成する樹脂製の貯水空間形成部材の一例を示している。この貯水空間形成部材３１は、前記した特許文献１に記載されるものであり、下端が開放された箱状部３２ａの複数個が間隔を空けながらＸ方向に配列した箱列３２が、Ｘ方向に直交するＹ方向に間隔を空けながら必要列数だけ配列した構成を基本的に備える。なお、本発明において、前記箱列３２が、「凸部からなる列」の一例を構成する。
【００１９】
図１０に示すように、必要な場合には、異なった大きさの複数個の貯水空間形成部材３１を箱列（凸部からなる列）３２の方向が同じ方向となるように寄せ集めて貯水空間形成部材３１としてもよい。そして、貯水空間形成部材３１の多数枚を、前記箱列（凸部からなる列）３２の方向が交互に直角に交差した姿勢で上下方向に積み上げることにより、貯水槽３とされる。
【００２０】
施工に当たり、所定深さに地表面Ｌから掘削する。掘削した支持地盤の上に砕石のような基礎材４を敷き詰めて均平化し、不織布のような透水性シート５を配置する。そして、透水性シート５の上に、貯水槽３を構成する最下段の貯水空間形成部材３１Ａを置く。次に、その貯水空間形成部材３１Ａにおける前記凸部からなる列３２、３２の間に形成される空間３３の任意の１つに樋部材６を設置する（図２参照）。樋部材６の断面形状は任意であり、図示のように底面と側壁からなる形状であってもよく、半円形、楕円形などの形状であってもよい。ただし、雨水が流下する内面６１側は凹凸のない均平面であることが望ましく、また、底面には前記空間３３内で安定した位置取りができるように、適宜の脚部６２を有することが望ましい（図３参照）。
【００２１】
前記樋部材６の長さは、少なくとも貯水空間形成部材３１Ａの一方側から他方側に達する長さであることが必要であり、図示のものでは、他方端を超えてさらに側方に延長する長さとされている。
【００２２】
最下段の貯水空間形成部材３１Ａの凸部からなる列３２、３２の間に形成される空間３３の任意の１つに、前記のようにした樋部材６を挿通させた後、下から二段目の貯水空間形成部材３１Ｂを、貯水空間形成部材３１Ａに対して直角に交差した姿勢で積層し、さらにその上に、三段目の貯水空間形成部材３１Ｃを、貯水空間形成部材３１Ｂに対して直角に交差した姿勢で積層する。そして、前記貯水空間形成部材３１Ｂにおける凸部からなる列３２、３２の間に形成される空間３３であって、好ましくは貯水空間形成部材３１Ａにおいて配置された樋部材６の直上となる位置に、貯水空間形成部材３１Ａの場合と同様にした樋部材６を配置する。
【００２３】
以下、必要となる段数だけ、貯水空間形成部材３１を交互に直角に交差した姿勢で積層した後、全体を透水性シート５で覆うことにより、貯水槽（浸透型貯水槽）３とされる。なお、貯水槽３を形成する手順として、必要枚数の貯水空間形成部材３１・・を交互に直角に交差した姿勢で積層した後、前記した貯水空間形成部材３１Ａおよび貯水空間形成部材３１Ｂに相当する貯水空間形成部材３１における前記空間３３の部分に、側方から樋部材６を挿通し、その後、全体を透水性シート５で覆うようにしてもよい。また、貯水槽３が大型の場合には、単位樋部材の所要本数を施工現場で接続することにより、樋部材６としてもよい。
【００２４】
次に、図３に示すように、樋部材６の貯水槽３から側方に延長している部分を、適宜の保護材７で覆った後、前記樋部材６と流入桝２の内部が連続するようにして流入桝２を施工する。図１に示すように樋部材６の延長部の先端がわずかに流入桝２の中に入り込むようにしてもよく、先端が流入桝２の壁部に接するようにして施工してもよい。施工に際して、流入桝２の底部に沈砂桝２３を設ける。それにより、流入桝２と貯水槽３は樋部材６を介して接続した状態となる。必要に応じて、樋部材６と流入桝２との接続部を覆うようにして、雨水に含まれる砂等の固形物を除去するためのフィルター８を取り付ける。なお、本発明において、流入桝２は、樋部材６を介して貯水槽３と接続している構成を除いて、他の構成は従来のこの種の雨水流出抑制施設における流入桝と同じであってよく、図で２１は着脱自在に設けられる蓋である。
【００２５】
上記の雨水流出抑制施設１での雨水の処理態様を説明する。降雨時に流入桝２に流入する雨水Ｗは、沈砂桝として機能する流入桝２の底部の沈砂桝部２３で砂やゴミ等の固形物の多くを排除した後、図３に示すように、流入桝から前記樋部材６，６内に流入する。雨水量が少ない場合には、流入した雨水Ｗは、上方と下方の２つの樋部材６内を流れ貯水空間形成部材３１の一方側から他方側まで流下し、樋部材６の他方端から貯水槽３の外に排出される。樋部材６に流入する雨水Ｗに固形物が混入しているときでも、その固形物は流れる過程で樋部材３の底部に堆積するか、雨水Ｗの流れとともに貯水槽３外に排出される。そのために、貯水槽３内の樋部材６以外の領域に固形物が堆積することはない。なお、雨水量がさらに少ない場合には、下方の樋部材６のみを雨水が流れる。
【００２６】
雨水量が多い場合には、樋部材６から排出することができない量の雨水が樋部材６に流入し、貯水槽３内の水位は次第に上昇して、貯水槽３内に一時的に貯水される。そして、貯留水は、時間と共に透水性シート５を通って、ゆっくりと地中に浸透していく。その際に、貯水される水は、流入桝２の底部の沈砂桝部２３と樋部材６内に固形物を落とした後の上水であり、貯水槽３内に固形物が入り込むことはほとんどなく、貯水槽３内の樋部材６以外の箇所に固形物が堆積するのは回避できる。
【００２７】
長期間の使用により、流入桝２の底部の沈砂桝部２３および前記樋部材６内に固形物が堆積することが起こり得るが、そのときには、流入桝２からバキューム管（不図示）を挿入して流入桝２の底部の沈砂桝部２３および樋部材６内を吸引するか、樋部材６内に給水管（不図示）を挿入して高圧水を流すことにより、堆積物を容易に除去することができる。
【００２８】
図４は、本発明による雨水流出抑制施設の他の実施の形態を示す。この雨水流出抑制施設１Ａは、上記した雨水流出抑制施設１において、さらに流出桝９を備えている点で相違する。他の構成は雨水流出抑制施設１と同じであり、同じ部材には同じ符号を付して説明は省略する。図４に示す雨水流出抑制施設１Ａにおいて、樋部材６は、貯水槽３における流入桝２が位置する側とは反対の側からも側方に延出する長さとされており、その部分は、流入桝２側と同様、保護材７で覆われている。
【００２９】
流出桝９は、その下端近傍に樋部材６の前記延長部の先端が接続している。なお、前記した流入桝２の場合と同様、図示のように樋部材６の延長部の先端がわずかに流出桝９の中に入り込むようにしてもよく、先端が流出桝９の壁部に接するようにして施工してもよい。また、流出桝９の下端近傍にはオリフィスを備えた流出管１０が設けられている。なお、本発明において、流出桝９は、樋部材６を介して貯水槽３と接続している構成を除いて、他の構成は従来のこの種の雨水流出抑制施設における流出桝と同じであってよく、図で２１は着脱自在に設けられる蓋である。また、図示の例では、貯水槽３は、透水性シート５で覆われた浸透槽型の貯水槽として示されるが、流出桝９を有する本形態では、非透水性のシート等で覆われた、いわゆる貯留槽型の貯水槽であってもよい。
【００３０】
この雨水流出抑制施設１Ａでは、雨水および貯水槽３内の貯留水は、樋部材６から流出桝９に排出される。他の作用は、雨水流出抑制施設１と同様である。
【００３１】
図５は、本発明による雨水流出抑制施設の他の実施の形態を示す、前記した図２に相当する図である。この雨水流出抑制施設１Ｂでは、貯水槽３を形成する最下段の貯水空間形成部材３１Ａにおける前記空間３３の複数の箇所（図示の例では、３箇所）に前記樋部材６ａ，６ｂ，６ｃが設置され、他の貯水空間形成部材３１には、樋部材が配置されていない点で、上記した貯水槽と貯水槽３の構成が異なっている。各樋部材６ａ，６ｂ，６ｃの構成は、前記した樋部材６と同じであってよい。
【００３２】
図６は、この形態の貯水槽３と共に用いる流入桝２Ａの一例を示しており、流入桝２Ａでは、３個の樋部材６ａ，６ｂ，６ｃの貯水槽３から側方に延長している部分の先端が中に入り込むようにした、横に広い分流部２２を下端に有している。流入桝２Ａに流入した雨水は、分流部２２から３本の樋部材６ａ，６ｂ，６ｃにそれぞれ流入し、貯水槽３内を流下する。
【００３３】
図示しないが、この形態の貯水槽３を備えた雨水流出抑制施設１Ｂにおいて、流出桝を備えるようにしてもよく、その場合には、図６に示した流入桝２Ａと同じように、３本の樋部材６ａ，６ｂ，６ｃを受け入れる幅広部を下端に備えた流出桝（不図示）が用いられる。
【００３４】
図示しないが、貯水槽の大きさによっては、図１に示した形態の雨水流出抑制施設１において、貯水空間形成部材３１Ａおよび／または貯水空間形成部材３１Ｃに配置した樋部材６の本数を、それぞれ図５に示すように、２本以上としてもよい。その場合には、流入桝２の形状もそれに応じて変更される。
【００３５】
図７は、本発明による雨水流出抑制施設のさらに他の実施の形態を示す。この雨水流出抑制施設１は、樋部材６の前記延長部が流入桝２のほぼ中央位置まで延出している点で、図１に基づき説明した雨水流出抑制施設１と相違している。他の部材は、図１に示したものと同じであり、同じ符号を付している。樋部材６の前記流入桝２内への延出部６３は、雨水の流入部としての機能に加えて、次のような機能を果たす。
【００３６】
すなわち、樋部材６内に固形物が堆積した場合、固形物の除去および洗浄作業を行うために、給水管１１の先端取り付けた逆噴射ノズル１２などが用いられるが、多くの場合、図８に示すように、管理桝である流入桝２の中に作業者が入り込み、その作業を行っている。そのために、この例において、管理桝として利用される流入桝２は作業者が入り込めるだけの大きさが必要となる。
【００３７】
図７に示す雨水流出抑制施設１では、作業者は、流入桝２内に作業者が入り込むことなく、地上部から、流入桝２のマンホールを通して、給水管１１の先端取り付けた逆噴射ノズル１２などを落とし込むことで、固形物の除去あるいは洗浄作業を行う体制を整えることができる。作業者は、樋部材６の前記延出部６３を目標として逆噴射ノズル１２を落とし込み、前記延出部６３の上に逆噴射ノズル１２が乗った姿勢とする。その状態で高圧水噴射を行うことで、逆噴射ノズル１２が樋部材６内を滑るように進入していき，所期の固形物の除去および洗浄作業を行うことができる。そのために、流入桝２の内径寸法を小さなものとすることができる。
【００３８】
図９は、本発明による雨水流出抑制施設のさらに他の実施の形態を示しており、ここでは、図４に示した形態の雨水流出抑制施設１Ａにおいて、管理桝として使用される流出桝９のほぼ中央位置にまで、樋部材６の前記延長部が延出部６３として延出している点で、図４に基づき説明した雨水流出抑制施設１Ａと相違している。他の部材は、図４に示したものと同じであり、同じ符号を付している。樋部材６の流出桝９内における前記延出部６３が果たす機能は、図７に示した雨水流出抑制施設１のおける延出部６３と同じであり、説明は省略する。ここでも、管理桝として使用される流出桝９の寸法を小さいものとすることができる。図示しないが、この雨水流出抑制施設１Ａにおいて、流入桝２を管理桝として使用する場合には、流入桝２のほぼ中央位置にまで、樋部材６の前記延出部６３を延出させるようにする。流入桝２と流出桝９の双方を管理桝として使用する場合には、流入桝２と流出桝９の双方のほぼ中央位置にまで、樋部材６の前記延出部６３を延出させるようにする。
【００３９】
なお、いずれの場合も、前記樋部材６の延出部６３は、雨水の流れを阻止しないことを条件に、その延出量および大きさは任意である。延出部の平面視での面積を大きくすると逆噴射ノズル１２などの受け取り面積が大きくなり、逆噴射ノズル１２などを落とし込む作業は容易となる。しかし、反面で雨水の流れに悪影響がでる。施工現場の事情に応じて適宜設定すればよい。受け取り面積を広くするために、樋部材６の延出部６３をほぼ平板状とすることもできる。さらに、板状部材でなく、雨水は通過するが逆噴射ノズル１２は通過できないような、金網のようなメッシュ材あるいは格子状部材を前記延出部６３に用いることもできる。また、図７，図９に示す雨水流出抑制施設のように、下位の樋部材６の延出部６３の直上に上位の樋部材６の延出部６３が位置する場合に、下位の樋部材６の延出部６３の上に逆噴射ノズル１２などを位置させるのは容易でない。その場合には、上位の樋部材６の延出部６３の延出距離を下位の樋部材６の延出部６３よりも短く設定することにより、その問題を解決することができる。また、下位の樋部材６の延出部６３の直上に上位の樋部材６の延出部６３が位置しないように、上下の樋部材の配置位置をあらかじめ設定することで、そのような問題が生じるのを回避することができる。
【符号の説明】
【００４０】
１，１Ａ，１Ｂ…雨水流出抑制施設、
２…流入桝、
２２…分流部
２３…沈砂桝部、
３…貯水槽、
３１…貯水空間形成部材、
３１Ａ…最下段の貯水空間形成部材、
３２ａ…下端が開放された箱状部、
３２…箱列（凸部からなる列）、
３３…凸部と凸部の間の空間、
４…基礎材、
５…透水性シート、
６、６ａ，６ｂ，６ｃ…樋部材、
６１…樋部材の内面、
６２…樋部材の脚部、
６３…樋部材の延出部、
７…保護材、
８…フィルター、
９…流出桝、
１０…オリフィスを備えた流出管、
１１…給水管、
１２…逆噴射ノズル、
Ｗ…雨水。
【図１】
2010229803.tif 000003
【図２】
2010229803.tif 000004
【図３】
2010229803.tif 000005
【図４】
2010229803.tif 000006
【図５】
2010229803.tif 000007
【図６】
2010229803.tif 000008
【図７】
2010229803.tif 000009
【図８】
2010229803.tif 000010
【図９】
2010229803.tif 000011
【図１０】
2010229803.tif 000012